(57)【要約】【課題】カメラ内部に塵埃が混入し、電気回路の加熱や漏電が生じ発火しても、延焼させない安全なレンズ交換式カメラを提供する。【解決手段】カメラは、脱着可能なレンズを装着するマウント部が設けられたケースと、ケース内に設けられた電気回路と、マウント部からレンズが取り外されたときにおいて、電気回路の外部への露出を防止するために電気回路の少なくとも一部を覆う部材とを備えている。【選択図】図１
2008026888.tif 000002
【特許請求の範囲】
【請求項１】
脱着可能なレンズを装着するマウント部が設けられたケースと、
前記ケース内に設けられた電気回路と、
前記マウント部から前記レンズが取り外されたときにおいて、前記電気回路の外部への露出を防止するために前記電気回路の少なくとも一部を覆う部材と
を備えたカメラ。
【請求項２】
前記部材は難燃性の材料によって形成されている、請求項１に記載のカメラ。
【請求項３】
前記電気回路が前記部材で囲まれている、請求項２に記載のカメラ。
【請求項４】
前記電気回路は、難燃性の材料で形成された基板上に設けられ、前記電気回路は前記部材で覆われている、請求項２に記載のカメラ。
【請求項５】
前記電気回路は複数の回路を含んでおり、
前記複数の回路に含まれる少なくとも１つの第１回路は前記部材で覆われており、前記複数の回路に含まれる少なくとも１つの第２回路は前記部材で覆われていない、請求項２に記載のカメラ。
【請求項６】
前記複数の回路は、使用される電圧または消費される電力の大きさに応じて、前記第１回路および前記第２回路のいずれかに分類されている、請求項５に記載のカメラ。
【請求項７】
前記電気回路は電源回路である、請求項２に記載のカメラ。
【請求項８】
前記電気回路は、フラッシュをたくための昇圧回路を含んでおり、
前記昇圧回路は前記部材に囲まれている、請求項２に記載のカメラ。
【請求項９】
前記電気回路は複数の前記部材で囲まれている、請求項２に記載のカメラ。
【請求項１０】
消費される電力が１５ワット以上の前記電気回路が、前記部材で囲まれている、請求項２に記載のカメラ。
【請求項１１】
少なくとも一部の外表面が難燃性の材料で形成された部品をさらに備え、
前記少なくとも一部の外表面が、前記電気回路の少なくとも一部を覆っている、請求項２に記載のカメラ。
【請求項１２】
電池が収納され、前記電池からの電力を外部に供給するための第１端子が設けられた電池ボックスをさらに備え、
前記電気回路の少なくとも一部を覆う前記部材には、前記電気回路と電気的に接続された第２端子であって、前記第１端子と接触する第２端子が設けられている、請求項２に記載のカメラ。
【請求項１３】
脱着可能なレンズを装着するマウント部が設けられたケースと、
前記ケース内に設けられた電気回路と、
前記電気回路の少なくとも一部を囲む、難燃性の材料によって形成された部材と
を備えたカメラ。
【発明の詳細な説明】
【技術分野】
【０００１】
本発明は、電気回路・電子回路を有するカメラに関する。より詳しくは、本発明は、内部の電気回路・電子回路に対して発熱や漏電の対策を施した、交換可能レンズを有するデジタルカメラに関する。
【背景技術】
【０００２】
従来、カメラは、シャッターなどの機械的構造を動作させて被写体を撮像する製品として広く普及してきた。従来のカメラには機械的構造のみが設けられており、種々の制御のために電気回路・電子回路（以下「電気回路」と総称する）が内蔵されるようになったのは、近年のことである。
【０００３】
特に、被写体の記録媒体は、従来はフィルムであったが、近年は半導体メモリが用いられるようになってきた。このようなカメラは、デジタルカメラとして広く知られている。デジタルカメラにおいては、被写体はＣＣＤなどの電子回路を用いて撮像され、デジタルデータが生成される。そのデジタルデータは半導体メモリに記録される。このような処理のために、デジタルカメラには多くの電気・電子回路が内蔵されている。
【０００４】
デジタルカメラで種々の機能を実行するためには電力が必要になるため、使用電力は増大しつつある。例えば特許文献１は、デジタルカメラの手ブレ補正機能に言及している。手ブレ補正機能とは、ジャイロを利用して手ブレを検出し、ブレ量に応じて一部のレンズを動かすことで、手ブレの影響が少ない被写体の画像を得る機能である。このとき、ジャイロやレンズを動かすモータなどは多くの電力を必要とする。
【０００５】
カメラが大電力を消費することに鑑みて、電気回路による熱の発生等の現象に対して安全対策が必要とされている。たとえば特許文献２には、電池を入れる方向が逆向きであった場合に警告表示を出す技術が開示されている。特許文献３には、フォーカルプレーンシャッターに難燃剤を使うことで焼損を防止する技術が開示されている。また、特許文献４では、カメラ本体をカバーに収納する際に電源スイッチがカバーに引っかかるような構成にして、電源スイッチを強制的にＯＦＦにする技術が開示されている。
【０００６】
本体とレンズとが一体化された小型のデジタルカメラ、いわゆるデジタルコンパクトカメラでは、その組み立て時に筐体の合わせ目などがシールされる。これにより、埃などの異物が本体内部に侵入することを抑えられる。さらに、本体そのものを金属性もしくは難燃性の材料で製造することで、内部の回路が発熱した場合でも発火する可能性を低く抑えられる。また、ユーザが筐体内部に手を触れることはないため、感電のおそれもない。よって、筐体によって既に十分な安全対策が施されているといえる。
【特許文献１】特開平８−３１３９５２号公報
【特許文献２】実開昭６２−２０３９号公報
【特許文献３】特開昭５５−１４２３２３号公報
【特許文献４】実開平１−１９９２５号公報
【発明の開示】
【発明が解決しようとする課題】
【０００７】
しかしながら、本体からレンズが分離するタイプのレンズ交換式カメラでは、レンズが取り外されたとき、本体側のレンズマウント部は本体の孔（開口部）となる。内部の電気回路はレンズマウント部を介して外部に露出されるため、塵埃などの可燃性の異物が入りやすい。
【０００８】
デジタルカメラの消費電力は大きくなってきており、プリント基板の配線に数Ａ（アンペア）の大電流が流れることもある。混入した異物が本体内のプリント基板上の配線や大電力を消費する素子に付着すると、電気回路が高い温度に加熱される可能性がある。また、漏電を発生させる可能性もある。
【０００９】
さらに、筐体内部を掃除するために、本体のレンズマウント部を介してユーザが指先を本体内部に挿入するおそれもある。
【００１０】
上述のような局面の下では、加熱や漏電により、カメラ内部での発火やカメラの故障が発生し、ユーザが負傷するおそれがある。
【００１１】
本発明の目的は、カメラ内部に塵埃が混入し、電気回路の加熱や漏電が生じ発火しても、延焼させない安全なレンズ交換式カメラを提供することにある。
【課題を解決するための手段】
【００１２】
本発明によるカメラは、脱着可能なレンズを装着するマウント部が設けられたケースと、前記ケース内に設けられた電気回路と、前記マウント部から前記レンズが取り外されたときにおいて、前記電気回路の外部への露出を防止するために前記電気回路の少なくとも一部を覆う部材とを備えている。
【００１３】
前記部材は難燃性の材料によって形成されていてもよい。
【００１４】
前記電気回路が前記部材で囲まれていてもよい。
【００１５】
前記電気回路は、難燃性の材料で形成された基板上に設けられ、前記電気回路は前記部材で覆われていてもよい。
【００１６】
前記電気回路は複数の回路を含んでおり、前記複数の回路に含まれる少なくとも１つの第１回路は前記部材で覆われており、前記複数の回路に含まれる少なくとも１つの第２回路は前記部材で覆われていなくてもよい。
【００１７】
前記複数の回路は、使用される電圧または消費される電力の大きさに応じて、前記第１回路および前記第２回路のいずれかに分類されていてもよい。
【００１８】
前記電気回路は電源回路であってもよい。
【００１９】
前記電気回路は、フラッシュをたくための昇圧回路を含んでおり、前記昇圧回路は前記部材に囲まれていてもよい。
【００２０】
前記電気回路は複数の前記部材で囲まれていてもよい。
【００２１】
消費される電力が１５ワット以上の前記電気回路が、前記部材で囲まれていてもよい。
【００２２】
前記カメラは、少なくとも一部の外表面が難燃性の材料で形成された部品をさらに備え、前記少なくとも一部の外表面が、前記電気回路の少なくとも一部を覆っていてもよい。
【００２３】
前記カメラは、電池が収納され、前記電池からの電力を外部に供給するための第１端子が設けられた電池ボックスをさらに備え、前記電気回路の少なくとも一部を覆う前記部材には、前記電気回路と電気的に接続された第２端子であって、前記第１端子と接触する第２端子が設けられていてもよい。
【００２４】
本発明によるカメラは、脱着可能なレンズを装着するマウント部が設けられたケースと、前記ケース内に設けられた電気回路と、前記電気回路の少なくとも一部を囲む、難燃性の材料によって形成された部材とを備えている。
【発明の効果】
【００２５】
本発明によれば、大きな電力を伝達したり、消費したりする部品や回路や配線を、難燃性部材によって囲むことで、筐体内部が異常に加熱したり、漏電して発火しても延焼を阻止できる効果がある。
【発明を実施するための最良の形態】
【００２６】
以下、添付の図面を参照しながら、本発明によるカメラの実施形態を説明する。
【００２７】
以下の各実施形態で詳細に説明するように、本明細書において説明するカメラは、レンズを取り外すことが可能なカメラ、すなわちレンズ交換式カメラであるとする。
【００２８】
本発明によるカメラの特徴のひとつは、カメラからレンズが取り外されたときにおいて、大きな電力を消費する電気回路がカメラの外部へ露出することを防止するために、その電気回路の少なくとも一部を金属板などの難燃性部材によって覆っていることにある。
【００２９】
ここで、電気回路が「カメラの外部へ露出」する、とは、カメラの筐体（ケース）外に存在する異物（塵埃など）が、開口部（マウント部）を介して筐体内に進入してきたとき、その異物が電気回路に到達し得る状態にあることを意味する。
【００３０】
また、本明細書において「覆う」とは全体または一部にかぶせて包むことをいう。
【００３１】
なお、電気回路が難燃性部材によって実質的に完全に覆われていれば、塵埃などの異物が電気回路に到達することはないため、特に好適である。しかしながら、完全に覆われていなくても、カメラの他の内部構造（電池ボックスなど）との関係で異物が電気回路に到達しない構成が実現されている場合には、本発明の目的を達成し得る。よって、そのような構成もまた本発明の範疇となる。
【００３２】
上述の電気回路は、たとえば消費電力が１５ワット以上の電気回路、または、使用される電圧が予め定められた値よりも大きい電気回路に限ってもよい。このような電気回路として、たとえば電源回路、フラッシュをたくための昇圧回路が想定される。電気回路には、たとえばプリント基板、配線、電気素子（回路素子）も含まれる。
【００３３】
以下の各実施形態において説明するカメラは、電気回路を備えているレンズ交換式カメラであればよい。たとえば、ＣＣＤやＣＭＯＳなどの撮像素子を用いて、メモリカードやハードディスクに画像情報を記録する、いわゆるレンズ交換式のデジタルカメラが該当する。さらに、フィルムを記録媒体として利用するレンズ交換式カメラであっても、電気回路を備えている場合には各実施形態によるカメラに該当する。
【００３４】
（実施形態１）
図１は、本実施形態によるレンズ１０が脱着可能なレンズ交換式カメラ１の外観を模式的に示す。
【００３５】
レンズ交換式カメラ１（以下「カメラ１」と記述する。）は、主としてレンズ１０およびカメラ筐体（カメラケース）１２を備えている。レンズ１０は、カメラ筐体１２に設けられたマウント部１４に固定される。
【００３６】
マウント部１４からレンズ１０を外すと、カメラ筐体１２の内部が外部に露出する。外光（被写体像）は、レンズ１０を通過してカメラ筐体１２に入射し、撮像素子（図示せず）に入射する。これにより、カメラ１を用いて被写体を撮影することができる。
【００３７】
レンズ１０側からカメラ１を見たとき、カメラ筐体１２内部左側には、後に詳述する囲繞部１８（subenclosure）、および、カメラ１の電池パックが装填される電池ボックス１６が設けられている。また、カメラ筐体１２のマウント部１４が設けられている面を表面とすると、その反対側の面（裏面）には、ファインダー１１若しくは液晶ディスプレイが設けられている。
【００３８】
なお、本明細書において「左側」および「右側」とは、それぞれ、レンズ１０側からカメラ１を見たときの左方向および右方向を意味する。また、カメラ筐体１２を水平面に置いたとき、その水平面からのカメラ１の高さ方向を「上方向」とし、「上方向」の反対方向を「下方向」と呼ぶ。「下方向」は、ファインダー１１から上述の水平面へ向かう法線の方向である。
【００３９】
次に、囲繞部１８を詳細に説明する。
【００４０】
図２は、囲繞部１８の構成を示す。以下の説明では、囲繞部１８によって囲まれる電気回路の例としてプリント基板２０を挙げる。
【００４１】
プリント基板２０は、囲繞部１８を構成する難燃性部材２２および難燃性部材２４によって周囲６方向を囲まれている。すなわち、囲繞部１８は、大電流が流れるプリント基板２０を囲む難燃性部材２２および２４によって構成されている。
【００４２】
囲繞部１８は、たとえば１５ワット以上の大電力を消費する電気回路を囲む構造体である。電源回路や昇圧回路が上述の電気回路に該当するため、囲繞部１８は電力を供給する電池やアダプタラインの近傍に配置される。
【００４３】
囲繞部１８を設ける理由は、マウント部１４からレンズ１０が取り外されたときにおいて、プリント基板２０の外部への露出を防止するためである。大電流が流れるプリント基板２０が、難燃性部材２２および２４部材で形成された囲繞部１８によって囲まれているため、マウント部１４から進入した塵埃がプリント基板２０に付着することはなくなる。その結果、そのような塵埃の過熱や燃焼によるプリント基板２０の損傷を防ぐことができる。
【００４４】
難燃剤として、公知の材料を使用できる。例えば、プラスチック難燃剤である臭素系難燃剤や、リン系難燃剤を使用できる。臭素系難燃剤として、たとえばＴＢＢＰＡ（テトラブロモビスフェノールＡ）やＴＢＢＰＡエポキシオリゴマーなどのデカブロ代替品、ＨＢＣＤ（ヘキサブロモシクロドデカン）が知られている。また、リン系難燃剤として、たとえば縮合リン酸エステル系、三酸化アンチモンが知られている。
【００４５】
これらの材料を単独もしくは複数で基体となるプラスチックに混合することで、プラスチックは発火しにくく、また燃えにくくなる。プラスチックとしては、ポリエチレン、ポリプロピレン、ポリスチレン、ＡＢＳ、ポリカーボネート、その他多くの高分子樹脂材料が基体として利用できる。
【００４６】
材料の燃えにくさを定量的に評価することは容易ではない。しかしながら、例えばＵＬ規格に規定された燃焼性試験の燃焼クラスを例に挙げると、Ｖ１の燃焼クラスの材料を用いることが望ましい。Ｖ１クラスの材料とは、（１）所定条件下で試験を行ったときに、炎が出るか又は赤熱してもよいが、平均５秒以内に消火する材料であって、（２）落下した燃焼物が、外科用綿（surgical cotton）を発火させてはならない材料、と定義されている。なお、同じＶ１クラスの材料であっても、消火時間が短い材料の方が燃えにくさの観点からは好適である。
【００４７】
ＵＬ規格における燃焼クラスは、耐燃焼性の高い方（すなわち、燃えにくい方）から、５ＶＡ、５ＶＢ、Ｖ０、Ｖ１、Ｖ２、ＨＢに区分されている。
【００４８】
難燃性部材として、同一種類の、または、異なる種類の部材を使うことが可能である。例えば図２では難燃性部材２２と難燃性部材２４とを同一種類の材料で製造してもよいし、それぞれ異なる種類の材料で製造してもよい。
【００４９】
なお、上述の説明では、難燃性部材２２および２４がプリント基板２０を「囲む」と説明した。本明細書において、「囲む」とは、対象とする電気回路を閉空間に（すなわち３次元的に）閉じ込めることを意味する。難燃性部材２２および２４は、この閉じた空間を作る境界となる。閉じた空間は立方体である必要はなく、多面体や滑らかな曲面から構成されていてもよい。多面体は、複数の直方体が重なった形状になってもよい。
【００５０】
上述の「閉空間」は、完全に密閉された空間のみを意味するものではなく、わずかな隙間は開いていてもよい。その理由は、囲繞部１８は大電力を扱うプリント基板２０を囲むため、内部の温度は上昇しやすく、完全に密閉してしまったのでは、熱や湿気の逃げ場がなくなるためである。また、内部から配線を引き出すことも必要とされるためである。
【００５１】
図２に示すように、難燃性部材２４にはスルーホール２６が穿たれており、プリント基板２０に設けられた４本の電力授受用端子２８が、それぞれスルーホール２６を通して囲繞部１８の外に引き出される。プリント基板２０は、電池ボックス１６内の電池パック（図示せず）から、この電力授受用端子２８を通じて電力を供給される。このようなスルーホール２６が設けられていたとしても、プリント基板２０は難燃性部材に囲まれている、と言える。
【００５２】
ただし、隙間は開きすぎたのでは、そもそも本発明の目的である発火対策にならない。そこで、図３を参照しながら、本発明において「囲む」の概念に含まれる隙間の例を説明する。
【００５３】
図３（ａ）は、囲繞部１８に設けられた、許容される隙間Ａ１〜Ａ３を示す。円形状の隙間Ａ１は、上述のスルーホールに対応する。本実施形態においては、隙間Ａ１の最大径ｄ１は１ｍｍ未満である。
【００５４】
スリット状の隙間Ａ２は、長さｄ２の短辺と長さｄ３の長辺とによって形成されている。このとき、短辺の長さｄ２が１ｍｍ未満であるが、長辺の長さｄ３は１ｍｍ以上であってもよい。すなわち、狭い方の幅が１ｍｍ未満であれば、広い方の幅の長さは問題とはされない。
【００５５】
隙間Ａ３は、配線２９が引き出されている長方形状の開口部である。図３（ｂ）は、隙間Ａ３を含む囲繞部１８の断面を示す。隙間Ａ３から引き出されている配線２９の被覆は難燃性材料で形成されており、隙間Ａ３の対向する長辺からそれぞれｄ４およびｄ５離れた位置を通過している。このとき、ｄ４およびｄ５は、それぞれ１ｍｍ未満であるが、（ｄ４＋ｄ５）は１ｍｍ以上であってもよい。すなわち、隙間Ａ３の開口部の短辺の長さが１ｍｍ以上であってもよい。これは、互いに対向する配線２９の難燃性材料の被覆面と、隙間Ａ３の難燃性材料の長辺との距離（ｄ４およびｄ５の各々）が１ｍｍ未満であれば、依然囲まれていると取り扱うことを意味する。このとき、ｄ４およびｄ５は、それぞれ上述の隙間Ａ２の短辺ｄ２と同様に取り扱われる。
【００５６】
したがって、最短部の長さが１ｍｍ未満の隙間であれば、開いた部分があっても、内部の電気回路は囲まれた状態であるとして取り扱えばよい。隙間は、難燃性部材同士の突合せ部分に開いていてもよいし、難燃性部材の一部に穿たれた隙間や孔であってもよい。また、楕円状に開いていてもよく、そのときは開口部の狭い方の間隔が１ｍｍ未満であれば、１ｍｍ以上の長さに亘る隙間であってもよい。
【００５７】
スルーホールの個数についても、図２は例であり、本発明を限定するものではない。また、図２では、電力授受用端子２８は、正極と負極に加えモニタ用の端子を含む合計４本で構成されている。しかし、他の用途による構成でもよいし、端子数も４本に限定されるものではない。
【００５８】
図４は、囲繞部１８によって囲まれるプリント基板２０を示す。囲繞部１８は、回路部の発熱による塵埃等の発火や感電防止への対策を目的とする。従って囲繞部１８が囲むプリント基板２０には大電力を扱う電気回路が搭載される。
【００５９】
図４に示すプリント基板２０は、主として、電源制御ＩＣ３６、チョークコイル３４、コンデンサ３８を含む。このプリント基板２０はいわゆる電源用プリント基板である場合が多く、このプリント基板２０は、カメラの各部分へ電圧や電流を供給する。従って、昇圧や大電流駆動のために、このような部品が搭載される。
【００６０】
また、近年の多くのカメラがフラッシュを備えているように、カメラ１にもフラッシュを設けることが可能である。その場合には、フラッシュをたくためのフラッシュ回路３２も電気回路に含まれる。フラッシュは３００Ｖ程度まで昇圧した電圧を使用するため、使用者の感電を防止する必要がある。
【００６１】
囲繞部１８で囲われるプリント基板が扱う電力の目安は、３ＶＡ（＝３ワット）以上が好適である。また、電圧の目安は１００Ｖ（ボルト）以上が好適である。
【００６２】
１５ワット以上の電力を扱うプリント基板に対しては、囲繞部を設けることが特に好ましい。なお、囲繞部で電気回路を囲むのは、通電によるジュール熱での発火・燃焼を防止するためと、使用者の感電を防止するためであるから、消費電力が低い電気回路を囲む必要はない。回路設計時には電流用の配線や回路素子での消費電力は低くする。しかし、部品の劣化や塵埃の付着によって消費電力が高くなることもある。このような場合の発火に結びつく電流の目安を１Ａと考える。通常デジタルカメラは、単三電池２本以上で動作するように設計される。つまり、３ＶＡ以上の電力を扱う場合は囲繞部で囲むことが好適である。
【００６３】
また、フラッシュを発光させるためには、１００Ｖ以上の電圧をチャージする必要がある。そこで、１００Ｖ以上の電圧を扱う回路も囲繞部１８で囲むことが好適である。
【００６４】
なお、電源回路やフラッシュ回路は１つのプリント基板上に存在していなくてもよい。すなわち、囲繞部１８は、複数のプリント基板を囲っていてもよい。
【００６５】
プリント基板２０は、電力授受用端子電極３０が設けられる。電力授受用端子電極３０は、電力授受用端子２８と導通状態にあり、プリント基板２０上の回路に電力を送達する基点となる。図４では、電力授受用端子２８は点線の丸印で示されている。これは、電力授受用端子２８が紙面裏側に存在することを示している。
【００６６】
図５は、囲繞部１８の断面を示す。プリント基板２０には、固定用の孔が穿たれている。そして、難燃性部材２４に設けられたボス２１にネジ２３で固定されている。
【００６７】
プリント基板２０には回路群３５が配置されている。回路群３５は、種々の回路３２、３４、３６、３８を含む。電気素子が含まれていてもよい。図ではプリント基板２０の一方の面だけに回路群３５を配置したが、多層基板を用いる場合は、他方の面に回路を構成することもできる。
【００６８】
図６は、回路が存在しないプリント基板２０の一方の面が囲繞部１８の一部を構成する例を示す。図５と同じ要素は同じ番号で示している。
【００６９】
プリント基板２０はエポキシなどの樹脂で形成されているため、形成時に難燃剤を配合することにより、プリント基板２０の回路群３５が設けられた面とは反対側の面（裏面）を、囲繞部１８を構成するひとつの面として取り扱うことができる。すなわち、そのプリント基板２０の一方の面に、大電力を利用する回路群３５を構成し、他の面を囲繞部１８の一部とする。
【００７０】
このような構成にしても本発明の目的は達成することができる。また、図５の例と比べて、難燃性部材の数を減らすことができるため省スペースになる。このように囲繞部１８を構成する難燃性部材は、囲むためだけの部材である必要はなく、他の部品の一部であってもよい。
【００７１】
図６に示す例では、プリント基板２０の裏面がすでに囲繞部１８の一部を構成している。よって、難燃性部材２４がプリント基板２０全体を覆うように配置されることにより、プリント基板２０を囲む囲繞部１８が形成される。
【００７２】
なお、プリント基板２０の全体を覆うことは必須ではない。後述の図１５（ａ）および（ｂ）の例のように、１５ワット以上の電力を扱う電気回路の一部に対して、その電気回路を覆うような囲繞部を設けてもよい。
【００７３】
図７は、囲繞部１８と電力供給源である電池パック５０との接続関係を示す。図１に示されるように、筐体１２には、電池ボックス１６が設けられている。電池パック５０は、この電池ボックス１６に筐体１２の下方向から差し込まれる。図７では、電池ボックス１６の記載は省略した。
【００７４】
電池パック５０の上端部には接続用電極（図示せず）が露出しているスリット５１が設けられている。電池ボックス１６の上端には、囲繞部１８から引き出された電力授受用端子２８が配置されている。そこで、筐体１２の下方から差し込まれた電池パック５０のスリット５１内の接続用電極を、電力授受用端子２８と接触させることで、電池パック５０と囲繞部１８内のプリント基板２０の電気的な結合が完成する。
【００７５】
なお、図７には、囲繞部１８からの端子や配線の引き出しに関して、図３〜６以外の例も示されている。
【００７６】
すなわち、電力授受用端子２８は、隙間４０から引き出されてもよい。また、囲繞部１８からは、隙間４４を介して、他の基板への電力供給用の配線基板４２を引き出してもよい。なお、これらの隙間の狭いほうの幅は約１ｍｍ未満にする必要がある。
【００７７】
図８は、筐体１２内における電池ボックス１６、電池パック５０および囲繞部１８の位置関係を示す。Ｂ方向はカメラ１に取り付けられるレンズ１０が存在する方向であり、カメラ１の表面がレンズ１０と対向する方向である。
【００７８】
筐体１２内には、囲繞部１８と電池ボックス１６が設けられている。電池ボックス１６は筐体１２の一部として作られている。そして、電池パック５０が差し込まれる側の面１７は開いている。すなわち、電池ボックス１６は、電池パック５０が差し込まれる面１７から見ると、筺体１２の穴である。従って、電池ボックス１６の内部は、筐体１２の外部面になる。
【００７９】
囲繞部１８から引き出された電力授受用端子２８は、電池ボックス１６内部の上端部に配置される。電池パック５０は、電池ボックス１６に下側から差し込まれ、スリット５１内の接続用電極が電力授受用端子２８と接触する。図中で点線の矢印は電池パック５０が差し込まれる方向を示す。
【００８０】
従って、電池パック５０と電力授受用端子２８の接触点は、筐体１２の外部に存在するに等しい。
【００８１】
電池ボックス１６および電池パック５０を難燃性部材で構成すると、接触点はスリット５１（図７）と電池ボックス１６の内壁に囲まれ、異物混入による発火や感電を防止できる。
【００８２】
電力授受用端子２８には大電流が流される機会が多い。そのため、囲繞部１８と電池ボックス１６の電力授受用端子２８とを端子カバー５４で囲む。端子カバー５４も難燃性部材で構成する。
【００８３】
このような構成によれば、囲繞部１８への異物の侵入はさらに抑制される。
【００８４】
（実施形態２）
図９は、本実施形態によるレンズ交換式カメラ２（以下「カメラ２」と記述する。）の外観を模式的に示す。
【００８５】
本実施形態では、囲繞部１８が、他の部品の一部として構成されている場合を示す。筐体１２内には、強度を向上させるためアルミフレーム６０が組み込まれる。このアルミフレーム６０は、電池ボックス１６の一部を兼ねている。そして、同時に囲繞部１８の一部をも兼ねている。また、電池ボックス１６の一部の面が延長されて、囲繞部１８の一部を構成する。すなわち、本実施形態による囲繞部１８はアルミフレーム６０と電池ボックス１６の一部を含む。
【００８６】
図１０は、アルミフレーム６０、電池ボックス１６およびプリント基板２０の位置関係を示す。アルミフレーム６０は、撮像ユニットが設置される部分が窓状に開いている。そして、その一端が面状に延長され、電池ボックス１６のほぼ１つの面を構成する。
【００８７】
また、電池ボックス１６の上下と左の面は延長され、それぞれ電池ボックス１６の上部スカート５５、電池ボックス１６の下部スカート５７、電池ボックス１６のサイドスカート５６になる。
【００８８】
アルミフレーム６０がはめ込まれる側（右側）のサイドスカート５８は、アルミフレーム６０の電池ボックス１６の一部を兼ねる部分の高さ方向の長さ分だけ切り落とされている。そしてサイドスカート５８は、アルミフレーム６０がはめ込まれた後、側部カバー６１によって覆われる。
【００８９】
電池ボックス１６の上側には電力授受用端子２８が設けられている。プリント基板２０は、この電力授受用端子２８と接続される。
【００９０】
プリント基板２０の裏側にはカメラ２の筐体部分（図示せず）が配置される。
【００９１】
すなわち、プリント基板２０は、電池ボックス１６のほぼ１面を構成するアルミフレーム６０、電池ボックス１６の裏面５１、電池ボックス１６の上部スカート５５、電池ボックス１６の下部スカート５７、電池ボックス１６のサイドスカート５６および５８、側部カバー６１と筐体１２の裏面によって囲まれる。これらの部材をそれぞれ難燃性の材料で形成することで、プリント基板２０は難燃性部材によって囲まれる。言い換えると、囲繞部１８は、アルミフレーム６０、電池ボックス１６、筐体１２のそれぞれ一部から構成される。
【００９２】
なお、電池ボックス１６の裏面５１はアルミフレーム６０の上側だけでなく、下側にあってもよい。
【００９３】
図１１は、図１０における電池ボックス１６、電池パック５０およびプリント基板２０の関係をより明確に示す。なお、図１１では、電池ボックス１６の上部および下部のスカート５５、５７およびサイドスカート５６、５８等の記載は省略している。
【００９４】
電池ボックス１６の下側から電池パック５０が挿入され、電力授受用端子２８とスリット５１内の端子電極とが接触すると、プリント基板２０は導通状態になる。電力授受用端子２８は電池ボックス１６の上部に端子カバー５２を介して取り付けられる。言い換えると、端子カバー５２は、電力授受用端子２８の電池ボックス１６内側部分と外側部分を隔離する。
【００９５】
このように構成することで、プリント基板２０と電力授受用端子２８を予めはんだ付けしておき、それを電池ボックス１６に取り付けることができる。
【００９６】
図１２は、図１０に示す囲繞部１８の側面断面図である。図１２は、図１０において参照符号５６が付されている側面側から、アルミフレーム６０が存在する方向を見たときの図に対応する。
【００９７】
プリント基板２０は、アルミフレーム６０と、筐体裏面１３と、電池ボックス１６の上部スカート５５と、下部スカート５７と、側部カバー６１と、サイドスカート５８とによって囲まれている。なお、紙面手前側（これは囲繞部１８の左側に対応する）面は電池ボックス１６のサイドスカート５６で境界が出来ている。
【００９８】
また、電池ボックス１６の下面は電池挿入のために開いているが、図は筺体１２に蓋６３がついている場合を示している。電池ボックス１６に電池が挿入されると、その電池からの電力は電力授受用端子２８を介してプリント基板２０に供給される。
【００９９】
本実施形態において説明されるように、囲繞部１８はカメラ２内部の他の部品の一部から構成されていてもよく、難燃性部材によって、大電力を扱う電気回路が囲われていればよい。
【０１００】
（実施形態３）
図１３は、プリント基板２０とアルミフレーム６０との間にメモリホルダー７０を配置した構成を示す。メモリホルダー７０にはメモリ挿入用の挿入口７２があり、電池ボックスのサイドスカート５６にはそれに対応するメモリ挿入用の孔５９が開けられている。なお、図示していないが、筐体側面にも対応する孔が設けられる。
【０１０１】
ほとんどのデジタルカメラは、画像データを内部のメモリだけでなく、外部メモリへ記録する機能を有する。その際に外部メモリとのインターフェースになるのがメモリホルダー７０である。外部メモリとしては、半導体メモリ、光ディスク、磁気ディスクなど、特に限定するものではない。
【０１０２】
外部メモリへの書き込み、読み出し、駆動には比較的大きな電力を使う場合が多く、電力供給源であるプリント基板２０の近傍に配置するのが好適である。つまり、囲繞部１８の内部に位置する場合が好適な場合がある。
【０１０３】
また、メモリホルダー７０は筐体外部からメモリが挿入されてくるため、筐体外部へ開いた挿入口７２を有する。従って、この挿入口７２から塵埃が入り込むおそれがある。
【０１０４】
そこで、本実施形態では、実施形態２で示したサイドスカート５６などに加えて、メモリホルダー７０もまた囲繞部を構成する要素となる。すなわち、メモリホルダー７０もまた難燃性部材で構成される。
【０１０５】
メモリホルダー７０は、転送速度を高速にするために高周波数の信号発生源となる。そこでメモリホルダー７０は、難燃性部材である導電性金属で構成することが好適である。
【０１０６】
図１４は、メモリホルダー７０を設けた囲繞部１８の側面断面図である。メモリホルダー７０は、プリント基板２０に直接取り付けられている。すなわち、メモリホルダー７０の導電性金属部７３はプリント基板２０に密着に配置されている。さらに、プリント基板２０の一部がメモリホルダー７０の一面を兼ねている。
【０１０７】
また、メモリホルダー７０の挿入口７２は、筐体外部の孔５９と近接して配される。従って、囲繞部１８は、電池ボックス１６のサイドスカート５６の一部に孔５９が開いているものの、プリント基板２０は難燃性部材で囲まれている。すなわち、この場合メモリホルダー７０の一部を構成するプリント基板２０の領域は、囲繞部１８で囲まれるプリント基板に含まれない。
【０１０８】
なお、筐体上に開けられたメモリ挿入用の孔５９には、開閉自在な扉（図示せず）を設けることで、メモリホルダー７０内部も難燃性部材で囲むことができる。すなわち、メモリホルダー７０内に大電力を扱う回路または電気素子があれば、その回路または電気素子に対して、導電性金属７３と難燃性部材で構成するプリント基板２０と、開閉自在な扉によって囲繞部が構成される。
【０１０９】
以上、本発明の各実施形態を説明した。
【０１１０】
上述の実施形態においては、プリント基板２０の全体が囲繞部１８によって囲まれるとして説明した。しかしながら、必ずしもプリント基板２０の全体が囲まれなくてもよい。
【０１１１】
図１５（ａ）は、囲繞部１８によって囲まれている、プリント基板２０の一部の回路８０を示し、図１５（ｂ）はその断面図である。回路８０の消費電力は１５ワット以上であり、その他の回路（たとえば回路群８１）の消費電力は１５ワット未満である。消費電力が基準となる１５ワット以上の回路だけを囲繞部１８で囲むことにより、塵埃などに起因する発熱や漏電、ユーザの感電を防止することができる。
【０１１２】
なお、図１５では、単一の回路８０が図示されているが、これは例である。回路８０は、１または複数の回路群、配線、素子等を含んでいてもよい。
【産業上の利用可能性】
【０１１３】
本発明によれば、レンズ交換式カメラに塵埃が混入し、万が一電気回路の加熱や漏電が生じて発火してもケース内部で消火し延焼させないため、安全上安心して使用できるレンズ交換式カメラを得ることができる。
【図面の簡単な説明】
【０１１４】
【図１】実施形態１によるレンズ交換式カメラ１の外観を模式的に示す図である。
【図２】囲繞部１８の構成を示す図である。
【図３】（ａ）は囲繞部１８に設けられた、許容される隙間Ａ１〜Ａ３を示す図であり、（ｂ）は隙間Ａ３を含む囲繞部１８の断面を示す図である。
【図４】囲繞部１８によって囲まれるプリント基板２０を示す図である。
【図５】囲繞部１８の断面を示す図である。
【図６】回路素子が存在しないプリント基板２０の一方の面が囲繞部１８の一部を構成する例を示す図である。
【図７】囲繞部１８と電力供給源である電池パック５０との接続関係を示す図である。
【図８】筐体１２内における電池ボックス１６、電池パック５０および囲繞部１８の位置関係を示す図である。
【図９】実施形態２によるカメラ２の外観を模式的に示す図である。
【図１０】アルミフレーム６０、電池ボックス１６およびプリント基板２０の位置関係を示す図である。
【図１１】図１０における電池ボックス１６、電池パック５０およびプリント基板２０の関係をより明確に示す図である。
【図１２】図１０に示す囲繞部１８の側面断面図である。
【図１３】プリント基板２０とアルミフレーム６０との間にメモリホルダー７０を配置した構成を示す図である。
【図１４】メモリホルダー７０を設けた囲繞部の側面断面図である
【図１５】（ａ）は囲繞部１８によって囲まれている、プリント基板２０の一部の回路素子８０を示す図であり、（ｂ）はその断面図である。
【符号の説明】
【０１１５】
１０  レンズ
１２  筐体
１６  電池ボックス
１８  囲繞部
２０  プリント基板
２８  電力授受用端子
５０  電池パック
６０  アルミフレーム
７０  メモリホルダー
【図１】
2008026888.tif 000003
【図２】
2008026888.tif 000004
【図３】
2008026888.tif 000005
【図４】
2008026888.tif 000006
【図５】
2008026888.tif 000007
【図６】
2008026888.tif 000008
【図７】
2008026888.tif 000009
【図８】
2008026888.tif 000010
【図９】
2008026888.tif 000011
【図１０】
2008026888.tif 000012
【図１１】
2008026888.tif 000013
【図１２】
2008026888.tif 000014
【図１３】
2008026888.tif 000015
【図１４】
2008026888.tif 000016
【図１５】
2008026888.tif 000017